(57)【要約】  【課題】プロジェクターの様々な使用環境や目的に対応できる搭載台を提供する。  【解決手段】プロジェクターを保持する搭載部と、搭載部の角度を可変とする角度可変部と、搭載部の高さを可変とする高さ可変部と、を含む搭載台。【選択図】図１
2015187681.tif 000002
【特許請求の範囲】
【請求項１】
プロジェクターを保持する搭載部と、
前記搭載部の角度を可変とする角度可変部と、
前記搭載部の高さを可変とする高さ可変部と、
を含む搭載台。
【請求項２】
請求項１に記載の搭載台であって、
前記角度可変部は、前記プロジェクターからの光を、水平面及び鉛直面のうち少なくとも一方に投写可能とさせることを特徴とする搭載台。
【請求項３】
請求項１に記載の搭載台であって、
前記角度可変部は、前記プロジェクターからの光を、水平面及び鉛直面のうち少なくとも水平面に投写可能とさせ、
前記搭載部は、前記プロジェクターが光を投写する水平面の鉛直方向に前記プロジェクターが位置するように設けられることを特徴とする搭載台。
【請求項４】
請求項１乃至３のうちいずれか１つに記載の搭載台であって、
移動機構をさらに含むことを特徴とする搭載台。
【請求項５】
請求項１乃至４のうちいずれか１つに記載の搭載台であって、
前記角度可変部は、前記プロジェクターからの光を鉛直面に、前記鉛直面の上方から投写可能とさせることを特徴とする搭載台。
【発明の詳細な説明】
【技術分野】
【０００１】
本発明は、搭載台に関する。
【背景技術】
【０００２】
特許文献１には、支持部と、支持部に支持されて所要高さ位置に配置され上面側にプロジェクタ等を載置させる架台と、架台を少なくとも横軸周りに首振り状に揺動可能としつつ任意の傾斜角度で固定させる角度設定機構と、を備え、角度設定機構は、一方側が架台に連結されるとともに他方側が入力部に連結された咬み合い回転部と、固定部と、を含む角度調整台装置が記載されている。
【先行技術文献】
【特許文献】
【０００３】
【特許文献１】特開２００５−１２１９１８号公報
【発明の概要】
【発明が解決しようとする課題】
【０００４】
プロジェクターの光を投写する対象は、プロジェクターの使用環境や目的に応じて様々である。特許文献１に記載の装置では、プロジェクターの投写対象が制限され、プロジェクターの様々な使用環境や目的に対応することができない。
【０００５】
そこで、本発明は、プロジェクターの様々な使用環境や目的に対応できる搭載台を提供することを目的とする。
【課題を解決するための手段】
【０００６】
上記課題を解決するための第一の態様は、搭載台であって、プロジェクターを保持する搭載部と、前記搭載部の角度を可変とする角度可変部と、前記搭載部の高さを可変とする高さ可変部と、を含む。これにより、プロジェクターの様々な使用環境や目的に対応することができる。
【０００７】
ここで、前記角度可変部は、前記プロジェクターからの光を、水平面及び鉛直面のうち少なくとも一方に投写可能とさせるものであってもよい。これにより、プロジェクターの様々な使用環境や目的に対応することができる。
【０００８】
ここで、前記角度可変部は、前記プロジェクターからの光を、水平面及び鉛直面のうち少なくとも水平面に投写可能とさせ、前記搭載部は、前記プロジェクターが光を投写する水平面の鉛直方向に前記プロジェクターが位置するように設けられてもよい。これにより、空間を効率的に使用することが可能となり、より狭い空間でもプロジェクターを使用することが可能となる。
【０００９】
ここで、搭載台は、移動機構をさらに含んでもよい。これにより、プロジェクターの移動がより容易となる。
【００１０】
ここで、前記角度可変部は、前記プロジェクターからの光を鉛直面に、前記鉛直面の上方から投写可能とさせてもよい。これにより、搭載台を、光を投写する鉛直面の反対側に設置することが可能となる。
【発明の効果】
【００１１】
本発明の技術によれば、プロジェクターの様々な使用環境や目的に対応することが可能となる。上記以外の課題、構成および効果等は、以下の実施形態の説明により明らかにされる。
【図面の簡単な説明】
【００１２】
【図１】本実施形態の搭載台の例であり、（Ａ）は正面図、（Ｂ）は側面図である。
【図２】角度可変部を実現する例である。
【図３】本実施形態のプロジェクターの概略構成の一例を示す図である。
【図４】搭載台に搭載したプロジェクターからの光の投写例を説明する模式図である。
【図５】プロジェクターの動作フローの一例である。
【図６】角度可変部による搭載部の可動角ａｎｇを１８０度とした場合の光の投写例を説明する模式図である。
【発明を実施するための形態】
【００１３】
本発明の一実施形態について、図面を参照しながら説明する。以下では、同じ構成に対しては同じ符号を付与し説明を省略する。
【００１４】
＜実施形態＞
【００１５】
図１は、本実施形態の搭載台１００の例であり、（Ａ）は正面図、（Ｂ）は側面図である。搭載台１００は、搭載部１０、角度可変部２０、支持部３０、高さ可変部４０、ベース５０、移動機構６０等を含む。
【００１６】
なお、以下では、説明の都合上、図１中の上側を「上」または「上方」、下側を「下」または「下方」と言う。
【００１７】
搭載部１０は、第１矩形体１０Ａと、第２矩形体１０Ｂとから成る。第１矩形体１０Ａを構成する１つの面（例えば面１０Ａ−１）と第２矩形体１０Ｂを構成する１つの面（例えば面１０Ｂ−１）とは垂直であり、これらの面の両方と接するようにプロジェクター２００が搭載される。なお、プロジェクター２００は、図示しない固定器具（例えばネジ）により搭載部１０に固定されていてもよい。
【００１８】
搭載部１０は支持部３０の上に、角度可変部２０により支持部３０に対し回動し任意角度で固定可能なように設けられる。即ち、搭載部１０は角度可変部２０により角度が可変とされる。可動角ａｎｇは、限定はしないが、例えば９０度である。これにより、詳細を後述するように、プロジェクター２００からの光を鉛直面及び水平面の両方に投写可能となる。
【００１９】
搭載部１０を固定可能な角度は、可動角ａｎｇの最小値及び最大値（例えば、可動角ａｎｇが９０度であれば０度と９０度）のみであってもよく、可動角ａｎｇ内のうち任意角度で自由に固定可能であってもよく、数度単位で固定可能であってもよい。あるいは、可動角ａｎｇの最小値及び最大値のうち少なくとも一方で固定可能であってもよい。
【００２０】
角度可変部２０を実現する機構の例を説明する。図２は角度可変部２０を実現する例である。第１矩形体１０Ａの面１０Ａ−１の対面（面１０Ａ−２）には突出部１０Ｃが設けられており、突出部１０Ｃの突出方向は、面１０Ａ−１から面１０Ａ−２側である。
【００２１】
図２（Ａ）では、角度可変部２０は、第１支持体２０Ａと回転部２０Ｂとを含む。回転部２０Ｂは回転可能であり、回転部２０Ｂの回転軸は、突出部１０Ｃの回転軸と一致する。これにより、支持部３０の一方の端に設けられた回転部２０Ｂを中心に搭載部１０が回動する。第１支持体２０Ａは、例えば、複数の板材からなるステーであり、図示しない固定機構（例えばネジやロックなど）で固定することにより可動角ａｎｇの最小値又は最大値で搭載部１０を固定可能である。
【００２２】
図２（Ｂ）は、角度可変部２０が、第２支持体２０Ｃと回転部２０Ｂとを含む。第２支持体２０Ｃは、限定しないが、例えば、油圧・水圧・空気圧などによるダンパー機能付きステーであり、搭載部１０を可動角ａｎｇ内のうち任意角度で自由に固定可能である。
【００２３】
なお、第１支持体２０Ａの端は、搭載部１０又は支持部３０と、図示しないスライダーなどにより摺動可能であってもよい。この場合、第１支持体２０Ａは単数の板材からなるステーであってもよい。
【００２４】
角度可変部２０を実現する構成は図２に限られない。角度可変部２０は、搭載部１０を所望の角度で固定可能であればよい。例えば、角度可変部２０を、歯車のかみ合いを所望の位置で所望の固定機構（例えばネジやロックなど）により固定可能として実現してもよい。あるいは、これらの組み合わせでもよい。
【００２５】
図１に戻る。支持部３０の両端のうち一方には角度可変部２０が設けられ、他方の端には高さ可変部４０が設けられる。高さ可変部４０は、搭載部１０が上方向及び下方向の両方に移動可能なように設けられる。高さ可変部４０を実現する機構は、限定しないが、例えば、スライダーなどの摺動構造と、スライダーを固定するための固定機構（例えばネジ、油圧・水圧・空気圧などのダンパー機能付きステー、歯車などの凹部及び凸部の嵌合、及びこれらの組み合わせ）から実現してもよい。あるいは、他の技術により実現してもよい。
【００２６】
高さ可変部４０はベース５０上に設けられる。ベース５０の形状、材料、構造、位置などは限定しないが、プロジェクター２００を搭載部１０上に搭載したときの重心がベース５０の上にあり、さらに、比較的重い材料（例えば金属など）で構成するほうが好ましい。このような構成は、プロジェクター２００及びプロジェクター２００と接続される接続機器などの質量が比較的重い場合（例えば２ｋｇ以上など）に特に効果的である。というのも、プロジェクター２００の質量が比較的重い場合は、プロジェクター２００を搭載したときの搭載台１００全体の重心が上に上がるからである。その場合、上記のような構成にすることにより搭載台１００を安定させることができる。また、ベース５０は、内部に棚などを設け、ストレージとして機能するものであってもよい。
【００２７】
ベース５０の下には移動機構６０が設けられる。移動機構６０は、限定はしないが、複数のキャスター及びキャスターの回転軸などを含む。移動機構６０により、搭載台１００を移動させることが可能となる。移動機構６０はモーターなどの自動移動機構を含んでいてもよい。移動機構６０により、搭載台１００の移動が容易となる。
【００２８】
本発明のプロジェクターはプロジェクター２００に該当し、搭載部は搭載部１０に該当し、角度可変部は角度可変部２０に該当し、高さ可変部は高さ可変部４０に該当し、移動機構は移動機構６０に該当する。
【００２９】
ここでいう矩形体、面、板材は、厳密な矩形体、面、板材のみだけでなく、これらの構成や構造に付加されている凹部及び凸部などを含み、また、単位長さあたりの誤差などをも含む概念である。可動角ａｎｇの数値は、ここでいうものに限らず、また、誤差をも含む概念である。一致や接するとは、厳密な一致や接触のみに限らず、誤差をも含む概念である。端とは、厳密な端のみに限らず、誤差をも含む概念である。
【００３０】
ここで、搭載台１００に搭載するプロジェクター２００について説明する。図３は、本実施形態のプロジェクターの概略構成の一例を示す図である。
【００３１】
図３に示すように、プロジェクター２００は、画像投写部２２０、制御部２１０、記憶部２１１、操作パネル２１２、リモコン２１３、操作信号受信部２１４、入力端子群２１５、入力端子選択部２１６、画像信号処理部２１７、ＯＳＤ（On Screen Display）処理部２１８、角度検出部２１９、光源駆動部２３０等を有する。画像投写部２２０には、光源２２１、３つの液晶ライトバルブ２２２Ｒ，２２２Ｇ，２２２Ｂ、非球面ミラー２２３、ライトバルブ駆動部２２４等が含まれる。
【００３２】
光源２２１は、高圧水銀ランプやメタルハライドランプ等からなる放電型の光源ランプ２２１ａと、光源ランプ２２１ａが放射した光を液晶ライトバルブ２２２Ｒ，２２２Ｇ，２２２Ｂ側に反射するリフレクター２２１ｂとを含んで構成される。光源２２１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ２２２Ｒ，２２２Ｇ，２２２Ｂに入射する。
【００３３】
液晶ライトバルブ２２２Ｒ，２２２Ｇ，２２２Ｂは、一対の透明基板間に液晶が封入された液晶パネル等によって構成される。液晶ライトバルブ２２２Ｒ，２２２Ｇ，２２２Ｂには、マトリックス状に配列された複数の画素が形成されており、液晶に対して画素毎に駆動電圧を印加可能になっている。ライトバルブ駆動部２２４が、入力される画像データに応じた駆動電圧を各画素に印加すると、各画素は、画像データに応じた光透過率に設定される。つまり、光源２２１から射出された光は、この液晶ライトバルブ２２２Ｒ，２２２Ｇ，２２２Ｂを透過することによって変調され、画像データに応じた画像光が色光毎に形成される。形成された各色の画像光は、色合成光学系（図示せず）によって画素毎に合成されてカラー画像を表す画像光となった後、非球面ミラー２２３によってスクリーンＳＣ等に拡大投写される。
【００３４】
制御部２１０は、ＣＰＵ（Central Processing Unit）や、各種データ等の一時記憶に用いられるＲＡＭ（Random Access Memory）等を備え、記憶部２１１に記憶されている制御プログラムに従って動作することによりプロジェクター２００の動作を統括制御する。つまり、制御部２１０は、記憶部２１１とともにコンピューターとして機能する。
【００３５】
記憶部２１１は、マスクＲＯＭ（Read Only Memory）や、フラッシュメモリー、ＦｅＲＡＭ（Ferroelectric RAM：強誘電体メモリー）等の不揮発性のメモリーにより構成される。記憶部２１１には、プロジェクター２００の動作を制御するための制御プログラムや各種データ等が記憶されている。
【００３６】
操作パネル２１２及びリモコン２１３は、プロジェクター２００に対して各種指示を行うための複数の操作キーを備えている。操作パネル２１２及びリモコン２１３が備える操作キーとしては、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元、本実施形態では入力端子に相当する）を切り替えるための「入力ソース切替キー」、無効にすべき入力ソースを指定するための「入力ソース無効化キー」等がある。ユーザーが操作パネル２１２の各種操作キーを操作すると、操作パネル２１２は、ユーザーの操作内容に応じた操作信号を制御部２１０に出力する。また、ユーザーがリモコン２１３の各種操作キーを操作すると、リモコン２１３は、ユーザーの操作内容に応じた赤外線の操作信号を発し、操作信号受信部２１４がこれを受信して制御部２１０に伝達する。
【００３７】
入力端子群２１５は、ＰＣ（Personal Computer）等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号を入力可能なＰＣ系の入力端子、映像機器等からの画像信号を入力可能なビデオ系の入力端子等がある。
【００３８】
入力端子選択部２１６は、複数の入力端子のうち、制御部２１０の指示に基づく１つの入力端子を選択し、この入力端子に入力される画像信号を画像信号処理部２１７に出力する。
【００３９】
画像信号処理部２１７は、入力端子選択部２１６から入力された各種形式の画像信号を、液晶ライトバルブ２２２Ｒ，２２２Ｇ，２２２Ｂの各画素の階調を表す画像データ、即ち各画素に印加する駆動電圧を規定するための画像データに変換する。さらに、制御部２１０の指示に基づいて、変換した画像データに対して、明るさ、コントラスト、シャープネス、色合い等の調整や、ガンマ補正等の各種画質調整を施す。画像信号処理部２１７で画質調整がなされた画像データは、ＯＳＤ処理部２１８に出力される。
【００４０】
ＯＳＤ処理部２１８は、制御部２１０の指示に基づいて、メニュー画像やメッセージ画像等のＯＳＤ画像を、画像信号処理部２１７から入力される画像データに基づく画像（入力画像）上に重畳する処理を行う。ＯＳＤ処理部２１８は、ＯＳＤメモリー（図示せず）を備えており、ＯＳＤ画像を形成するための図形やフォント等を表すＯＳＤ画像データを記憶している。制御部２１０が、ＯＳＤ画像の重畳を指示すると、ＯＳＤ処理部２１８は、必要なＯＳＤ画像データをＯＳＤメモリーから読み出し、入力画像の所定の位置にＯＳＤ画像が重畳されるように、画像信号処理部２１７から入力される画像データにこのＯＳＤ画像データを合成する。ＯＳＤ画像データが合成された画像データは、ライトバルブ駆動部２２４に出力される。なお、制御部２１０からＯＳＤ画像を重畳する旨の指示がない場合には、ＯＳＤ処理部２１８は、画像信号処理部２１７から出力される画像データを、そのままライトバルブ駆動部２２４に出力する。
【００４１】
ライトバルブ駆動部２２４が、入力される画像データに従って液晶ライトバルブ２２２Ｒ，２２２Ｇ，２２２Ｂを駆動すると、液晶ライトバルブ２２２Ｒ，２２２Ｇ，２２２Ｂは、画像データに応じた画像を形成し、この画像が非球面ミラー２２３で反射して広角化され、スクリーンＳＣ等に投写される。
【００４２】
光源駆動部２３０は、制御部２１０からの指示に従って、光源２２１を点灯又は消灯させる。例えば光源ランプ２２１ａが高圧放電灯の場合には、光源駆動部２３０は、始動電圧を印加する点灯回路や、適正なランプ電流を供給する安定器などにより構成される。
【００４３】
角度検出部２１９は、搭載台１００上のプロジェクター２００の設置角度、即ち、搭載部１０の角度を検出して制御部２１０に出力する。角度検出部２１９は、例えば重力式の角度センサや傾斜センサにより実現できる。
【００４４】
制御部２１０は、角度判定部２５１、投写設定部２５２を有する。角度判定部２５１は、角度検出部２１９からの入力に基づいて搭載部１０の角度を判定する。投写設定部２５２は、判定された角度に応じて画像の投写設定を行う。角度判定部２５１、投写設定部２５２の各々は、記憶部２１１に記憶されたプログラムを制御部２１０が実行することにより実現してもよい。また、角度判定部２５１及び投写設定部２５２のうち少なくとも一方は、ハードウェアにより実現してもよい。
【００４５】
本実施形態の搭載台１００は、図３に一例を示すような、投射距離を短くさせた短焦点のプロジェクターを搭載する場合に特に好適であるが、短焦点でないプロジェクターを搭載することも可能である。ここでいう短焦点のプロジェクターとは、投写する画像を通過させるための開口（図１の部位２５０）がプロジェクター中心（図１の中心Ｃ）より端に位置し、この開口からプロジェクター中心の方向へ、プロジェクターの外部に向かって画像を投写するものをいう。
【００４６】
なお、ここでいう中心とは、厳密な中心だけでなく単位長さ当たりの誤差やプロジェクターの製造誤差をも含む概念である。
【００４７】
上記の実施形態では、光変調装置として、透過型の液晶ライトバルブ２２２Ｒ，２２２Ｇ，２２２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００４８】
上記の実施形態では、光源２２１は、放電型の光源ランプ２２１ａによって構成されているが、ＬＥＤ（Light Emitting Diode：発光ダイオード）光源、ＬＤ（Laser Diode：半導体レーザー）、ＳＬＤ（Super Luminescent Diode）、有機ＥＬ素子等の光源や、その他の光源を用いることもできる。
【００４９】
図４は搭載台１００に搭載したプロジェクター２００からの光の投写例を説明する模式図である。図４（Ａ）は鉛直面への投写、（Ｂ）は水平面への投写の模式図である。
【００５０】
ここでは、鉛直な面（鉛直面）にプロジェクター２００の光を投写することを壁面投写ともいい、水平な面（水平面）にプロジェクター２００の光を投写することを机上投写ともいう。壁面投写する鉛直面としては、例えば壁面、ホワイトボード、スクリーンなどがある。机上投写する水平面としては、例えば机上、床、天井などがある。
【００５１】
説明の便宜上、壁面投写を正位置での投写とし、机上投写をそうでない投写とするが、これに限るわけではない。また、説明の便宜上、プロジェクター２００が水平に設置されたときに正位置での投写を可能とするが、これに限るわけではない。
【００５２】
図４（Ａ）のように壁面投写する場合、搭載部１０が水平となるように搭載部１０の角度を設定する。このようにすると、鉛直面Ｐ１にプロジェクター２００からの光が投影される。
【００５３】
図４（Ｂ）のように机上投写する場合、搭載部１０が鉛直となるように搭載部１０の角度を設定する。このようにすると、水平面Ｐ２にプロジェクター２００からの光が投影される。
【００５４】
机上投写する場合、高さ可変部４０は、水平面Ｐ２の鉛直方向にプロジェクター２００が位置するように設けられる。図４（Ｂ）では、テーブル上に机上投写する例を示しているので、プロジェクター２００は、水平面Ｐ２の鉛直上方向に位置する。これを実現するためには、机上投写可能なように搭載部１０の角度を設定したときに、搭載部１０が水平面Ｐ２の上方に位置するように構成するとよい。そのために、搭載部１０と高さ可変部４０との間の水平方向の距離（例えば図４（Ｂ）の長さｌ）が所望長さ（ただしｌ＞０）となることが好ましい。所望長さは、プロジェクター２００の設置位置や投写対象によって任意に定めることができる。また、床面からのベース５０の高さｈは、机上投写するのがテーブルなどの天板Ｔの上面であれば、天板Ｔの下に収まる高さであることが好ましい。このように構成することで、空間を効率的に使用することが可能となり、より狭い空間でもプロジェクターを使用することが可能となる。
【００５５】
ここでいう鉛直、水平、鉛直上方向、水平方向は、厳密な鉛直、水平、鉛直上方向、水平方向のみだけでなく、鉛直や水平を構成する構成物が内包する誤差や、単位長さ当たりの誤差をも含む概念である。
【００５６】
図５は、プロジェクター２００の動作フローの一例である。この動作は、限定はしないが、例えばプロジェクター２００の電源がオンとなったときや、リモコン２１３又は操作パネル２１２からの指示が入力されたときに開始される。なお、以下でいう「Ｓ５０１」などの「Ｓ」とは「ステップ」のことをいう。
【００５７】
角度検出部２１９は、搭載台１００上のプロジェクター２００の設置角度、即ち搭載部１０の角度を検出し、制御部２１０は、これにより角度を取得する（Ｓ５０１）。角度判定部２５１は、取得した角度から、搭載部１０が水平となるような角度であるか否か判定する（Ｓ５０２）。Ｓ５０２の判定の結果、水平である場合（Ｓ５０２：Ｙｅｓ）、投写設定部２５２は正位置投写するものとして設定し（Ｓ５０３）、水平位置でない場合（Ｓ５０２：Ｎｏ）、投写設定部２５２は上下回転投写するものとして設定する（Ｓ５０４）。Ｓ５０３又はＳ５０４の設定の後、制御部２１０は、設定に従って画像データを処理し、画像信号処理部２１７に出力する（Ｓ５０５）。
【００５８】
Ｓ５０３の正位置投写とは、画像データをそのまま投写することをいう。Ｓ５０４の上下回転投写とは、画像データの上下を反転させて投写することをいう。図４を参照して説明すると、図４（Ａ）では、正位置投写となる設定とされるので、画像は、矢印Ｄ１の方向に上から下に投写される。図４（Ｂ）では、上下回転投写となる設定とされるので、画像は、矢印Ｄ２の方向に上から下に投写される。従って、図４（Ｂ）のような机上投写の場合、投写面を挟んでプロジェクター２００の反対側にいる閲覧者（例えば閲覧者４００）が、投影された画像を閲覧方向４１０に閲覧したときに、上下の反転なく閲覧することができる。
＜変形例＞
【００５９】
可動角ａｎｇは限定しないが、例えば１８０度とすることもできる。図６は、角度可変部６２０による搭載部１０の可動角ａｎｇを１８０度とした場合の光の投写例を説明する模式図である。搭載台６００は、搭載台１００と比較すると、角度可変部２０、支持部３０の替わりに、角度可変部６２０、支持部６３０を含む。角度可変部６２０は角度可変部２０と比較すると、可動角ａｎｇが１８０度である点で異なる。支持部６３０は支持部３０と比較すると、搭載部１０を方向６５０に移動可能とさせる点で異なる。支持部６３０を実現する機構は、限定しないが、例えば、スライダーなどの摺動構造と、スライダーを固定するための固定機構（例えばネジ、油圧・水圧・空気圧などのダンパー機能付きステー、歯車などの凹部及び凸部の嵌合、及びこれらの組み合わせ）から実現してもよい。あるいは、他の技術により実現してもよい。なお、搭載台６００での高さ可変部４０は、搭載台１００の高さ可変部４０よりも搭載部１０をより上方向に移動可能とさせるとよい。
【００６０】
この場合、投影対象の鉛直面とは反対側に搭載台６００を設置し、図４（Ａ）に示す正位置投写から１８０度回転した位置に、搭載部１０が位置するように固定されるとよい。即ち、角度可変部６２０は、プロジェクター２００からの光を鉛直面Ｐ３に、鉛直面Ｐ３の上方から投写可能とさせる。このようにすると、ホワイトボードやスクリーンなどの投写面の裏側に搭載台６００を設置することができ、様々な環境に応じたプロジェクター２００の設置が可能となる。また、投写面の側に人が立っても影ができにくくなり、プレゼンテーションなどの用途に最適である。
【００６１】
なお、可動角ａｎｇを、−９０度としたり、新たな角度可変部を追加することにより、プロジェクター２００からの光を天井に投写することもできる。
【００６２】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記の実施例は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００６３】
１００：搭載台、１０：搭載部、２０：角度可変部、３０：支持部３０、４０：高さ可変部、５０：ベース、６０：移動機構、６００：搭載台、６２０：角度可変部、６３０：支持部、２００：プロジェクター
【図１】
2015187681.tif 000003
【図２】
2015187681.tif 000004
【図３】
2015187681.tif 000005
【図４】
2015187681.tif 000006
【図５】
2015187681.tif 000007
【図６】
2015187681.tif 000008